(57)【要約】【課題】ロール用紙の先端部が引き出しの前面部を簡易に挿通することができるように図る。【解決手段】プリンタ４の使用状態では、引き出し２の前面部３の上側の周縁に形成されている切欠部３ａは、カバー８により被覆されている。カバーは、ハウジング１に軸（図示せず）により約９０°回転可能に支持されている。引き出しをハウジングから引き出す際、引き出しの上面部２ａはカバーに設けられている操作部材８ａを押し上げるから、カバーは同軸を中心として右回転するので、図示の状態に至る。プリンタは、印字機構、カッタ・ユニット、用紙の搬送機構等を搭載されている諸機構搭載装置５と、同装置を軸７により９０°右回転可能に支持する基台６とから構成されている。したがって、基台に装着されているロール用紙１１の先端部を上方から切欠部に簡易に挿入することができる。【選択図】図２
2010105227.tif 000002
【特許請求の範囲】
【請求項１】
プリンタは、ハウジングに対して引き出し及び収納可能な引き出しに搭載され、
前記ハウジングにカバーが設置され、
前記引き出しの前面部の上側の周縁に、切欠部が形成され、
前記引き出しが前記ハウジングから引き出されるとき、前記カバーは前記切欠部を開放し、
前記ロール用紙の先端部を前記切欠部に上方から挿入することができ、
前記ロール用紙が前記プリンタにセットされた後、前記切欠部は前記カバーにより被覆されることを特徴とするプリンタのロール用紙セット構造。
【請求項２】
前記カバーは前記ハウジングの前面に回転可能に設置されていることを特徴とする請求項１記載のプリンタのロール用紙セット構造。
【請求項３】
前記カバーは、前記引き出しに設けられている操作部材により、前記引き出しが前記ハウジングから引き出されるときに上昇し、前記引き出しが前記ハウジングに収納されるときに降下することを特徴とする請求項１記載のプリンタのロール用紙セット構造。
【請求項４】
前記カバーの内側に前記ロール用紙の紙詰まりが生じたときの溜部が形成されていることを特徴とする請求項１記載のプリンタのロール用紙セット構造。
【発明の詳細な説明】
【技術分野】
【０００１】
本発明は、プリンタにおけるロール用紙をセットする構造に関し、詳しく述べると、電子キャッシュ・レジスタ等のハウジングに対して引き出し及び収納可能な引き出しに搭載されるプリンタにおいて、引き出しをハウジングから引き出してロール用紙をセットする際、ロール用紙の先端部の取り扱いを簡便に図るものである。
【０００２】
スーパーストア等のセルフＰＯＳ８１の概略について図６を参照して説明する。レシートプリンタ８２の前面には、レシート排出口８３が設けられ、レシート排出口８３の前部がバーコードスキャンエリア８４である。
【０００３】
セルフ運用であるため、トレーニングを受けていない顧客が手指でレシートを触る。レシート排出口８３の前部にバーコードスキャンエリア８４が配置されているため、商品や顧客の手指がレシート排出の障害物となり、紙詰まりを誘発し易い。
【０００４】
紙詰まりに起因するプリンタの動作停止には、トレーニングを受けた店員レベルしか対処することができない。したがって、セルフＰＯＳ８１搭載のレシートプリンタ８２は、通常運用上で紙詰まりが発生しないように図る必要がある。
【背景技術】
【０００５】
従来の第１の技術として、プリンタの用紙セット構造について、図７，８を参照して説明する。
【０００６】
図７は、電子キャッシュ・レジスタ等のハウジング２１に引き出し及び収納可能に引き出し２２が設置され、引き出し２２に搭載されているプリンタ２４がハウジング２１から引き出された状態を前方から見た斜視図である。図８は、プリンタ２４に装着されているロール用紙３１の先端部が引き出し２２の前面部２３を挿通する状態を示す斜視図である。
【０００７】
図８に示されるように、引き出し２２の前面部２３の上部には、前方壁２３ａが設けられている。前方壁２３ａの下側には、ロール用紙３１を挿通するための排出口２３ｂが形成されている。
【０００８】
ロール用紙３１をプリンタ２４に装着する方法について説明する。
【０００９】
まず、図７に示されるように、引き出し２２と共にプリンタ２４をハウジング２１から直線状の矢印方向に引き出す。
【００１０】
次に、印字機構、カッタ・ユニット、ロール用紙３１の搬送機構等が搭載されている諸機構搭載装置２５をプリンタ２４の基台２６の軸２７を中心として矢印方向へ９０°右回転させる。
【００１１】
続いて、ロール用紙３１を矢印方向に基台２６上のロール用紙装着機構に装着する。
【００１２】
更に、図８に示されるように、ロール用紙３１の先端部を排出口２３ｂに挿通する。
【００１３】
従来の第２の技術として、商品販売データ処理装置の要点について、本出願前に頒布された刊行物を引用して説明する（例えば、特許文献１参照。）。
【００１４】
本体ケース内におけるキーボードの下側には用紙収納部が形成され、用紙収納部内にはロール状に巻回されたレシート用紙が収納されている。また、キーボードの下側には、レシート用紙に商品データ等が印字された後にカットされたレシートを発行する排出口が形成されている。
【００１５】
キーボードを上方へ回転することにより、用紙収納部の上方が開放される。搬送ローラ、印字ヘッド及びカッタがキーボードと一体となって上方へ移動するため、レシート用紙の交換を容易に行える。
【００１６】
従来の第３の技術として、商品販売登録データ処理装置の要点について、本出願前に頒布された刊行物を引用して説明する（例えば、特許文献２参照。）。
【００１７】
プリンタを内蔵し、かつ、プリンタの上方に位置するトップカバーの開口部を覆う複数枚の蓋部材を開閉可能に装着される商品販売登録データ処理装置において、複数枚の蓋部材を折り畳み可能に連結し、１枚の蓋部材にレシート口を設ける。
【００１８】
従来の第４の技術として、ロール紙の保持構造の要点について、本出願前に頒布された刊行物を引用して説明する（例えば、特許文献３参照。）。
【００１９】
ロール用紙は、ロール用紙カバーの保持リブに嵌入された後、紙送り機構部により送られて印字部を通過し、ケースの外に排出される。
【００２０】
【特許文献１】特開平６−１１１１２９号公報
【特許文献２】特開平６−３４８９５５号公報
【特許文献３】実開平５−９５７４６号公報
【発明の開示】
【発明が解決しようとする課題】
【００２１】
前記従来の第１の技術では、前方壁の下側に形成されている狭い排出口にロール用紙を挿通することは、煩雑である。
【００２２】
また、前記従来の第２〜４の技術でも、狭い排出口にロール用紙を挿通することは、煩雑である。
【００２３】
そこで、本発明は、前記従来の諸技術の欠点を改良し、ロール用紙の先端部が引き出しの前面部を簡易に挿通することができるように図ろうとするものである。
【課題を解決するための手段】
【００２４】
本発明は、前記課題を解決するため、次の手段を採用する。なお、実施例の部材部位に付されている符号を本発明の構成の次に記入する。
【００２５】
１．プリンタ４は、ハウジング１に対して引き出し及び収納可能な引き出し２に搭載され、前記ハウジング１にカバー８が設置され、前記引き出し２の前面部３の上側の周縁に、切欠部３ａが形成され、前記引き出し２が前記ハウジング１から引き出されるとき、前記カバー８は前記切欠部３ａを開放し、前記ロール用紙１１の先端部を前記切欠部３ａに上方から挿入することができ、前記ロール用紙１１が前記プリンタ４にセットされた後、前記切欠部３ａは前記カバー８により被覆されるプリンタのロール用紙セット構造。
【００２６】
２．前記カバー８は前記ハウジング１の前面に回転可能に設置されている前記１記載のプリンタのロール用紙セット構造。
【００２７】
３．前記カバー８は、前記引き出し２に設けられている操作部材２ａにより、前記引き出し２が前記ハウジング１から引き出されるときに上昇し、前記引き出し２が前記ハウジング１に収納されるときに降下する前記１記載のプリンタのロール用紙セット構造。
【００２８】
４．前記カバー８の内側に前記ロール用紙１１の紙詰まりが生じたときの溜部８ａが形成されている前記１記載のプリンタのロール用紙セット構造。
【発明の効果】
【００２９】
明細書の説明から明らかなように、本発明は、次の効果を奏する。
【００３０】
１．ハウジングにカバーが設置され、引き出しの前面部の上側の周縁に、切欠部が形成され、引き出しがハウジングから引き出されるとき、カバーは切欠部を開放し、ロール用紙の先端部を切欠部に上方から簡易に挿入することができ、ロール用紙が前記プリンタにセットされた後、切欠部はカバーにより被覆されるので、便利である。また、カバーを増設する程度の改造により所期の目的を達成できるので、部品点数の増加は、僅かである。
【００３１】
２．カバーはハウジングの前面に回転可能に設置されているので、構造が簡素である。
【００３２】
３．カバーは、引き出しに設けられている操作部材により、引き出しがハウジングから引き出されるときに上昇し、引き出しがハウジングに収納されるときに降下するので、カバーの移動操作が簡単である。
【００３３】
４．カバーの内側にロール用紙の紙詰まりが生じたときの溜部が形成されているから、若干の紙詰まりを許容することができるので、電子キャッシュ・レジスタ等の取り扱い上、好都合である。
【発明を実施するための最良の形態】
【００３４】
本発明のプリンタのロール用紙セット構造の一実施例について説明する。
【実施例１】
【００３５】
本発明の実施例１のプリンタのロール用紙セット構造について図１〜図５を参照して説明する。
【００３６】
図１は、電子キャッシュ・レジスタ等のハウジング１の前面側に設置されている引き出し２の前面部３をカバー８が被覆した状態を前方から見た斜視図である。図２は、ハウジング１から引き出された引き出し２に搭載されているプリンタ４の斜視図である。ただし、引き出し２の前面部３の切欠部３ａをカバー８が開放した状態を示す。図３は、図２と同様であるが、諸機構搭載装置５が起立し、ロール用紙１１が基台６に装着されている状態を示す。
【００３７】
図１に示されるように、引き出し２の前面部３の上側の周縁に形成されている切欠部３ａは、カバー８により被覆されている。カバー８は、図４の状態では、前面部３の傾きと同様に、垂直線に約１０°の傾きをもっている。また、カバー８は、図５の状態では、垂直線に約１１０°の傾きをもっている。カバー８は、ハウジング１に軸９（図５に示されるロール用紙１１の交換時の状態参照）により約１００°回転可能に支持されている。
【００３８】
プリンタ４の使用状態（図１，４の状態）においては、カバー８に設けられている略台形状の操作部材８ａは、引き出し２の前面部３の一端側に設けられている溝３ｂに挿入されている。引き出し２の前面部３の下部に形成されている手指掛け３ｃに手指をかけて、引き出し２をハウジング１から引き出す際、引き出し２の一端側の上面部２ａは操作部材８ａを押し上げるから、カバー８は軸９を中心として約１００°右回転するので、図２の状態に至る。
【００３９】
図２，３に示されるように、プリンタ４は、印字機構の一部、カッタ・ユニットの一部、用紙の搬送機構の一部等を搭載されている諸機構搭載装置５と、諸機構搭載装置５を軸７により９０°右回転可能に支持する基台６とから構成されている。
【００４０】
図２の状態において、諸機構搭載装置５を９０°右回転させて起立させると、図３の状態に至る。この状態では、引き出し２の前面部３の切欠部３ａは、開放されている。
【００４１】
したがって、図３の状態では、ロール用紙１１の先端部を上方から切欠部３ａに簡易に挿入することができる。
【００４２】
カバー８の内側にロール用紙１１の紙詰まりが生じたときの溜部８ｂが形成されているから、若干の紙詰まりを許容することができるので、電子キャッシュ・レジスタ等の取り扱い上、好都合である。
【図面の簡単な説明】
【００４３】
【図１】本発明の実施例１のプリンタのロール用紙セット構造に係るハウジングの前面側に設置されている引き出しの前面部の切欠部をカバーが被覆した状態を前方から見た斜視図である。
【図２】同ハウジングから引き出された同引き出しに搭載されている同プリンタの斜視図である。ただし、同切欠部を同カバーが開放した状態を示す斜視図である。
【図３】図２と同様の斜視図であるが、同プリンタの諸機構搭載装置が起立し、ロール用紙が基台に装着されている状態を示す図である。
【図４】同カバーが同引き出しの前面部を被覆している状態（プリンタの使用状態）を示す側方から見た断面図である。
【図５】同引き出しが同ハウジングから引き出された状態（ロール用紙の交換時の状態）を示す側方から見た断面図である。
【図６】スーパーストア等のセルフＰＯＳの概略を示す断面図である。
【図７】従来の第１の技術の電子キャッシュ・レジスタ等のハウジングに引き出し及び収納可能に引き出しが設置され、同引き出しに搭載されているプリンタが同ハウジングから引き出された状態を前方から見た斜視図である。
【図８】同プリンタに装着されているロール用紙の先端部が同引き出しの前面部を挿通する状態を示す斜視図である。
【符号の説明】
【００４４】
１  ハウジング
２  引き出し
２ａ  上面部
３  前面部
３ａ  切欠部
３ｂ  溝
３ｃ  手指掛け
４  プリンタ
５  諸機構搭載装置
６  基台
７  軸
８  カバー
８ａ  操作部材
８ｂ  溜部
９  軸
１１  ロール用紙
【図１】
2010105227.tif 000003
【図２】
2010105227.tif 000004
【図３】
2010105227.tif 000005
【図４】
2010105227.tif 000006
【図５】
2010105227.tif 000007
【図６】
2010105227.tif 000008
【図７】
2010105227.tif 000009
【図８】
2010105227.tif 000010